(57)【要約】      （修正有）【課題】本発明はタッチ入力装置の検出感度を向上させる。【解決手段】タッチ入力装置Ｔは、第１高さ位置でＸ−Ｘ’方向に間隔をあけて配置された第１電極１００ａと、第２高さ位置でＹ−Ｙ’方向に間隔をあけて配置された第２電極１００ｂと、第２ダミー電極２００ｂとを備えている。各第２電極１００ｂにおいて、幅広部１１０ｂはＸ−Ｘ’方向に間隔をあけて配置され、幅狭部１２０ｂは隣り合う幅広部１１０ｂ間を各々接続し且つ第１電極１００ａの第１重畳部１１１ａに各々重なっている。第２ダミー電極２００ｂは電気的に浮遊し、第２高さ位置で空き領域α内に各々配置され且つ第１電極１００ａの第２重畳部１１２ａに各々重なっている。空き領域αは、Ｙ−Ｙ’方向で隣り合う幅狭部１２０ｂ、そのＸ方向の隣の二つの幅広部１１０ｂおよびそのＸ’方向の隣の二つの幅広部１１０ｂによって各々区画される。【選択図】図１Ａ
2018072916.tif 000002
【特許請求の範囲】
【請求項１】
第１高さ位置で第１方向に間隔をあけて配置された複数の第１電極と、
前記第１高さ位置と異なる第２高さ位置で前記第１電極に交差するように前記第１方向に交差する第２方向に間隔をあけて配置された複数の第２電極とを備えており、
前記第１電極は、前記第１高さ位置で前記第２方向に延びた帯状の電極本体を各々有し、前記電極本体は、複数の第１重畳部を各々有しており、
前記第２電極は、複数の幅広部と、前記幅広部の前記第２方向の寸法よりも小さい前記第２方向の寸法を有する複数の幅狭部とを各々有しており、前記第２電極の各々において、前記幅広部は、前記第２高さ位置で前記第１方向に間隔をあけて配置され、且つ前記第１方向で隣り合う幅広部を複数組含んでおり、前記幅狭部は、前記第２高さ位置で前記隣り合う幅広部間を各々接続し且つ前記第１電極の前記第１重畳部に各々重なっているタッチ入力装置。
【請求項２】
請求項１記載のタッチ入力装置において、
前記第２電極は、前記第２方向で隣り合う第２電極を複数組含み、前記隣り合う第２電極の間に複数の空き領域が各々設けられており、前記空き領域は、前記幅狭部のうちの前記第２方向で隣り合う幅狭部および前記幅広部のうちの四つの幅広部によって各々区画されており、前記四つの幅広部は、前記隣り合う幅狭部の前記第１方向の一方の隣に各々位置する二つの幅広部と、前記隣り合う幅狭部の前記第１方向の一方の隣に各々位置する別の二つの幅広部とを含み、
前記第１電極の前記電極本体は、前記第１重畳部の間に各々位置し且つ前記第１高さ位置で前記空き領域に各々重なる複数の第２重畳部を各々さらに有しており、
前記タッチ入力装置は、複数の第２ダミー電極をさらに備えており、
前記第２ダミー電極の少なくとも一つが、前記第２高さ位置で電気的に浮遊するように前記空き領域内に各々配置され、且つ前記第１電極の前記第２重畳部に各々重なっているタッチ入力装置。
【請求項３】
請求項１〜２の何れかに記載のタッチ入力装置において、
前記第２電極は、前記第２方向で隣り合う第２電極を複数組含み、前記隣り合う第２電極の間に複数の空き領域が各々設けられており、前記空き領域は、前記幅狭部のうちの前記第２方向で隣り合う幅狭部および前記幅広部のうちの四つの幅広部によって各々区画されており、前記四つの幅広部は、前記隣り合う幅狭部の前記第１方向の一方の隣に各々位置する二つの幅広部と、前記隣り合う幅狭部の前記第１方向の一方の隣に各々位置する別の二つの幅広部とを含み、
前記第１電極の前記電極本体は、前記第１重畳部の間に各々位置し且つ前記第１高さ位置で前記空き領域に各々重なる複数の第２重畳部を各々さらに有しており、
前記二つの幅広部の前記第２方向で隣り合う端部が、対応する前記空き領域に重なる前記第２重畳部の前記第１方向の一方の隣に各々位置し且つ当該第２重畳部に沿って各々延びており、
前記別の二つの幅広部の前記第２方向で隣り合う端部が、対応する前記空き領域に重なる前記第２重畳部の前記第１方向の他方の隣に各々位置し且つ当該第２重畳部に沿って各々延びているタッチ入力装置。
【請求項４】
請求項１〜３の何れかに記載のタッチ入力装置において、
前記第１電極は、前記第１高さ位置で前記電極本体の前記第１重畳部から当該第１重畳部の隣の前記第２電極の一部に各々重なるように延びた複数の第１枝部を各々さらに有しているタッチ入力装置。
【請求項５】
請求項２又は３記載のタッチ入力装置において、
前記第１電極は、前記第１高さ位置で前記電極本体の前記第２重畳部から当該第２重畳部の隣の前記幅広部に各々重なるように延びた複数の第２枝部を各々さらに有しているタッチ入力装置。
【請求項６】
請求項１〜５の何れかの記載のタッチ入力装置において、
前記第２電極の各々の前記幅広部は、前記第２高さ位置で前記第１方向に間隔をあけて交互に配置されると共に、前記第２方向に千鳥配置された複数の第１幅広部および複数の第２幅広部を含んでおり、
前記第１幅広部は、当該第１幅広部の前記第２方向の一方側の領域である第１領域と、当該第１幅広部の前記第２方向の他方側の領域である第２領域を有し、
前記第２幅広部は、当該第２幅広部の前記第２方向の他方側の領域である第１領域と、当該第２幅広部の前記第２方向の一方側の領域である第２領域を有し、
前記第２電極の各々において、前記第１幅広部の前記第２領域と前記第２幅広部の前記第２領域とが前記第１方向において互いに重なっており、
前記隣り合う第２電極は一方の第２電極および他方の第２電極を各々含み、
前記一方の第２電極の前記第１幅広部の前記第１領域と、前記他方の第２電極の前記第２幅広部の前記第１領域とが前記第１方向において互いに重なっており、
全ての前記第２電極の前記第１幅広部の前記第１領域および前記第２幅広部の前記第１領域の面積の総和は、全ての前記第２電極の面積の総和の１０％〜９０％であるタッチ入力装置。
【請求項７】
請求項１〜６の何れかに記載のタッチ入力装置において、
前記第１電極は、前記第１方向で隣り合う第１電極を複数組含み、
前記タッチ入力装置は、前記第１高さ位置で、前記隣り合う第１電極間に間隙を有して配置された複数の第１ダミー電極をさらに備えているタッチ入力装置。
【請求項８】
請求項１〜７の何れかに記載のタッチ入力装置において、
交差する前記第１電極および前記第２電極の各々の静電容量値は、０.１ｐＦ〜５ｐＦであるタッチ入力装置。
【発明の詳細な説明】
【技術分野】
【０００１】
本発明は、タッチ入力装置に関する。
【背景技術】
【０００２】
従来の静電容量型のタッチ入力装置は特許文献１に記載されている。このタッチ入力装置は、第１高さ位置で間隔をあけて配置された複数の第１電極と、第２高さ位置で第１電極に交差するように間隔をあけて配置された複数の第２電極とを備えている。第１高さ位置と第２高さ位置とは異なる高さ位置である。
【先行技術文献】
【特許文献】
【０００３】
【特許文献１】ＵＳ２００８／０３０９６３３号公報
【発明の概要】
【発明が解決しようとする課題】
【０００４】
第１電極と第２電極は、互いに交差する箇所で静電結合される。各交差箇所に指やタッチペンなどの検出対象が接近すると、各交差箇所の静電容量が変化する。この静電容量の変化に応じて、当該交差箇所の第２電極の出力信号が変化する。第２電極には検出ＩＣが電気的に接続される。検出ＩＣは、第２電極の出力信号を増幅し、当該出力信号の値が閾値を超えるか否かを判断する。
【０００５】
タッチ入力装置の検出感度を向上させるために、検出ＩＣによって第２電極の出力信号を大きく増幅させると、検出ＩＣの上限値を超えてしまう。
【０００６】
本発明は、上記事情に鑑みて創案されたものであって、その目的とするところは、検出感度を向上させることができるタッチ入力装置を提供することにある。
【課題を解決するための手段】
【０００７】
上記課題を解決するために、本発明の一態様のタッチ入力装置は、複数の第１電極と、複数の第２電極とを備えている。複数の第１電極は、第１高さ位置で第１方向に間隔をあけて配置されている。第１電極は、第１高さ位置で第２方向に延びた帯状の電極本体を各々有している。電極本体は、複数の第１重畳部を各々有している。第２電極は、第２高さ位置で第１電極に交差するように第２方向に間隔をあけて配置されている。第２高さ位置は、第１高さ位置と異なる高さ位置であり、第２方向は第１方向に交差している。第２電極は、複数の幅広部と、幅広部の第２方向の寸法よりも小さい第２方向の寸法を有する複数の幅狭部とを各々有している。第２電極の各々において、幅広部は、第２高さ位置で第１方向に間隔をあけて配置され、且つ第１方向で隣り合う幅広部を複数組含んでおり、幅狭部は、第２高さ位置で隣り合う幅広部間を各々接続し且つ第１電極の第１重畳部に各々重なっている。
【０００８】
このような態様のタッチ入力装置は、検出感度を向上させることができる。その理由は以下の通りである。第１電極の帯状の電極本体が第２方向に延びており、第２電極の幅狭部が電極本体の第１重畳部に各々重なっているので、両者の重なり面積が小さい。このため、交差する第１電極と第２電極との各々の静電容量値を小さくすることができるので、第１、第２電極の一方の電極の出力信号が、検出部に入力され、検出部によって増幅されたとしても、増幅された信号が検出部の上限値を超える可能性を低減することができる。よって、一方の電極の出力信号を大きく増幅させることが可能になるので、本タッチ入力装置の感度を向上させることが可能になる。
【０００９】
第２電極は、第２方向で隣り合う第２電極を複数組含み、隣り合う第２電極の間に複数の空き領域が各々設けられた構成とすることが可能である。空き領域は、幅狭部のうちの第２方向で隣り合う幅狭部および幅広部のうちの四つの幅広部によって各々区画されていると良い。四つの幅広部は、隣り合う幅狭部の第１方向の一方の隣に各々位置する二つの幅広部と、隣り合う幅狭部の第１方向の一方の隣に各々位置する別の二つの幅広部とを含むようにすると良い。
【００１０】
第１電極の電極本体は、第１重畳部の間に各々位置し且つ第１高さ位置で空き領域に各々重なる複数の第２重畳部を各々さらに有する構成とすることが可能である。上記タッチ入力装置は、複数の第２ダミー電極をさらに備えた構成とすることが可能である。第２ダミー電極の少なくとも一つが、第２高さ位置で電気的に浮遊するように空き領域内に各々配置され、且つ第１電極の第２重畳部に各々重なる構成とすることが可能である。このような態様のタッチ入力装置による場合、第２電極の幅狭部が第１電極の電極本体の第１重畳部に各々重なり、且つ第２ダミー電極の少なくとも一つが第１電極の電極本体の第２重畳部に各々重なるので、タッチ入力装置のインビジブル性（第１電極のパターン見え）が改善される。
【００１１】
上記二つの幅広部の第２方向で隣り合う端部が、対応する空き領域に重なる第２重畳部の第１方向の一方の隣に位置し且つ当該第２重畳部に沿って各々延びた構成とすることが可能である。上記別の二つの幅広部の第２方向で隣り合う端部が、対応する空き領域に重なる第２重畳部の第１方向の他方の隣に各々位置し且つ当該第２重畳部に沿って各々延びた構成とすることが可能である。
【００１２】
比較例のタッチ入力装置としては、平行に配置された短冊状（ストリップライン状）の複数の第１電極と、第１電極と異なる高さ位置で第１電極に直交するように配置された短冊状（ストリップライン状）の複数の第２電極を備えているものがある。この場合、第１電極および第２電極の直交部の静電結合が強いため、当該直交部の検出感度は強くなる。その一方で、第１電極間及び第２電極間の部分では、第１電極と第２電極の静電結合が弱くなるため、当該部分の検出感度が弱くなる。そのため、両者の検出感度にバラツキが生じている。一方、上記態様のタッチ入力装置の面内の検出感度のバラツキを抑制することができる。その理由は以下の通りである。二つの幅広部の第２方向で隣り合う端部および別の二つの幅広部の第２方向で隣り合う端部が、対応する第２重畳部に各々静電結合可能となるので、第１電極の第１重畳部と第２電極の幅狭部との重なり部分だけでなく、第１電極の第２重畳部と第２電極の四つの幅広部とによっても、検出対象の接近を検出することができる。
【００１３】
第１電極は、複数の第１枝部を各々さらに有する構成とすることが可能である。第１枝部は、第１高さ位置で電極本体の第１重畳部から当該第１重畳部の隣の第２電極の一部に各々重なるように延びた構成とすることが可能である。
【００１４】
上記のとおり、第２電極の幅狭部と第１電極の第１重畳部との各々の重なり面積を小さくすることで、第１電極と第２電極との静電容量値が小さくなりすぎる場合がある。前述の態様のタッチ入力装置による場合、第１枝部が第２電極の一部に各々重なっているので、交差する第１電極と第２電極との各々の重なり面積が大きくなり、当該第１電極と第２電極との各々の静電容量値を大きくすることができる。そのため、第１枝部により、交差する第１電極と第２電極との各々の静電容量値を所望の値に設定可能になる。
【００１５】
第１電極は、複数の第１枝部に代えて複数の第２枝部を有する構成、又は複数の第２枝部をさらに有する構成とすることが可能である。第２枝部は、第１高さ位置で電極本体の第２重畳部から当該第２重畳部の隣の幅広部に各々重なるように延びた構成とすることが可能である。
【００１６】
このような態様のタッチ入力装置による場合、第２枝部が幅広部に各々重なっているので、第２枝部が幅広部と静電結合可能となる。よって、第２枝部付近の検出感度を向上させることができる。
【００１７】
第２電極の各々の幅広部は、複数の第１幅広部および複数の第２幅広部を含む構成とすることが可能である。第２電極の各々において、第１幅広部および第２幅広部は、第２高さ位置で第１方向に間隔をあけて交互に配置されると共に、第２方向に千鳥配置された構成とすることが可能である。第１幅広部は、当該第１幅広部の第２方向の一方側の領域である第１領域と、当該第１幅広部の第２方向の他方側の領域である第２領域を有する構成とすることが可能である。第２幅広部は、当該第２幅広部の第２方向の他方側の領域である第１領域と、当該第２幅広部の第２方向の一方側の領域である第２領域を有する構成とすることが可能である。第２電極の各々において、第１幅広部の第２領域と第２幅広部の第２領域とが第１方向において互いに重なる構成とすることが可能である。隣り合う第２電極は一方の第２電極および他方の第２電極を各々含んでいても良い。一方の第２電極の第１幅広部の第１領域と、他方の第２電極の第２幅広部の第１領域とが第１方向において互いに重なる構成とすることが可能である。全ての第２電極の第１幅広部の第１領域および第２幅広部の第１領域の面積の総和は、全ての第２電極の面積の総和の１０％〜９０％とすることが可能である。
【００１８】
上記態様のタッチ入力装置の面内の検出感度のバラツキを抑制することができる。その理由は以下の通りである。一方の第２電極の第１幅広部の第１領域と、他方の第２電極の第２幅広部の第１領域とが第１方向において互いに重なっており、全ての第２電極の第１幅広部の第１領域および第２幅広部の第１領域の面積の総和は、全ての第２電極の面積の総和の１０％〜９０％である。そのため、隣り合う第２電極の各々において、一方の第２電極の第１幅広部の第２領域と他方の第２電極の第１幅広部の第１領域との間（第２方向で隣り合う第１幅広部の間）の部分が、一方の第２電極の第１幅広部に接続された幅狭部と第１電極の第２重畳部との交差部に各々近くなり、一方の第２電極の第２幅広部の第１領域と他方の第２電極の第２幅広部の第２領域との間（第２方向で隣り合う第２幅広部の間）の部分が、他方の第２電極の第２幅広部に接続された幅狭部と第１電極の第２重畳部との交差部に各々近くなる。このため、隣り合う第１幅広部の間の何れか一つに検出対象が接近した場合、その近傍の交差部で検出が可能になり、隣り合う第２幅広部の間の何れか一つに検出対象が接近した場合、その近傍の交差部で検出が可能になる。このため、隣り合う第１幅広部の間および隣り合う第２幅広部の間の検出感度と、交差部の検出感度とのバラツキが抑制される。
【００１９】
第１電極は、第１方向で隣り合う第１電極を複数組含むようにすることが可能である。上記した何れかの態様のタッチ入力装置は、複数の第１ダミー電極をさらに備えた構成とすることが可能である。第１ダミー電極は、第１高さ位置で、隣り合う第１電極間に間隙を有して配置された構成とすることが可能である。このような態様のタッチ入力装置による場合、隣り合う第１第１電極のダミー電極が、第２電極に部分的に重なるため、第１ダミー電極側からの第２電極に対する電磁的な干渉が低減される。
【００２０】
交差する第１電極および第２電極の各々の静電容量値は０.１ｐＦ〜５ｐＦとすることが可能である。
【図面の簡単な説明】
【００２１】
【図１Ａ】本発明の実施例１に係るタッチ入力装置の概略的拡大平面図であって、周辺グランド電極を除去した図である。
【図１Ｂ】前記実施例１に係るタッチ入力装置の図１Ａ中の１Ｂ−１Ｂ拡大断面図であって、当該タッチ入力装置および画像表示装置との位置関係を説明するための図である。
【図１Ｃ】前記実施例１に係るタッチ入力装置の図１Ａ中の１Ｃ−１Ｃ拡大断面図であって、当該タッチ入力装置および画像表示装置との位置関係を説明するための図である。
【図２Ａ】前記実施例１に係るタッチ入力装置の第１基材の概略的拡大平面図であって、第１基材上の複数の第１電極、複数の第１引き出し線および周辺グランド電極の位置関係を説明するための図である。
【図２Ｂ】前記実施例１に係るタッチ入力装置の第２基材の概略的拡大平面図であって、第２基材上の複数の第２電極、複数のグランド電極、複数の第２引き出し線および周辺グランド電極の位置関係を説明するための説明図である。
【図３】前記実施例１に係るタッチ入力装置の設計変形例の図２Ａに対応する図であって、第１基材上の複数の第１電極、複数の第１引き出し線、ダミー電極および周辺グランド電極の位置関係を説明するための説明図である。
【発明を実施するための形態】
【００２２】
以下、本発明の実施例１を含む複数の実施例に係る静電容量型タッチ入力装置Ｔ（以下、単に、タッチ入力装置Ｔとも称する。）ついて図１Ａ〜図３を参照しつつ説明する。なお、図１Ａ〜図２Ｂには、実施例１に係るタッチ入力装置Ｔが示されている。図３には、実施例１に係るタッチ入力装置Ｔの設計変形例が示されている。なお、図１Ａおよび図２Ａ〜図２Ｂには、タッチ入力装置Ｔの第１電極１００ａの配列方向であり且つ特許請求の範囲の第１方向に相当するＸ−Ｘ’方向が示されている。Ｘ−Ｘ’方向のうちのＸ方向が第１方向の一方に相当し、Ｘ’方向が第１方向の他方に相当する。図１Ａ〜図２Ｂには、タッチ入力装置Ｔの第２電極１００ｂの配列方向であり且つ特許請求の範囲の第２方向に相当するＹ−Ｙ’方向が示されている。Ｙ−Ｙ’方向はＸ−Ｘ’方向に交差又は図１Ａ〜図２Ｂに示されるように直交している。Ｙ−Ｙ’方向のうちのＹ方向が第２方向の一方に相当し、Ｙ’方向が第２方向の他方に相当する。図１Ｂおよび図１Ｃには、タッチ入力装置Ｔの厚み方向であるＺ−Ｚ’方向が示されている。Ｚ−Ｚ’方向はＸ−Ｘ’方向およびＹ−Ｙ’方向に直交している。
【００２３】
タッチ入力装置Ｔは、画像表示装置ＤのＺ方向側（光の照射側）に配置可能である。タッチ入力装置Ｔは、複数の第１電極１００ａと、複数の第２電極１００ｂとを備えている。第１電極１００ａおよび第２電極１００ｂの何れか一方が駆動電極（Ｒｘ電極）であり、他方が検出電極（Ｔｘ電極）である。図１Ａ〜図３では、第１電極１００ａが検出電極（Ｒｘ電極）であり、第２電極１００ｂが駆動電極（Ｔｘ電極）である。なお、図１Ａ〜図２Ｂでは、第１電極１００ａおよび第２電極１００ｂにドットを付して区別しやすくしているが、現実に第１電極１００ａおよび第２電極１００ｂにドットが付されているわけではないので留意されたい。
【００２４】
第１電極１００ａおよび第２電極１００ｂは、透明導電膜又は導体である。前記透明導電膜は、例えば、ＩＴＯ（酸化インジウム＋酸化錫）、ＣＮＴ（カーボンナノチューブ）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成可能である。前記導体は、例えば、感光性銀、銀ナノインク、銀ナノワイヤ、蒸着銅、圧延銅又は銅ナノインク等とすることが可能である。
【００２５】
第１電極１００ａは、第１高さ位置でＸ−Ｘ’方向に間隔をあけて配置されている。第１電極１００ａは、Ｘ−Ｘ’方向で隣り合う第１電極１００ａを複数組含む。第２電極１００ｂは、第２高さ位置で第１電極１００ａに交差するようにＹ−Ｙ’方向に間隔をあけて配置されている。第２電極１００ｂは、Ｙ−Ｙ’方向で隣り合う第２電極１００ｂを複数組含む。第１高さ位置および第２高さ位置はＺ−Ｚ’方向で互いに異なる高さ位置とすることが可能である。図１Ｂ〜図１Ｃでは、第１高さ位置は、第２高さ位置よりもＺ方向側に位置しているが、これに限定されることはない。
【００２６】
第１電極１００ａおよび第２電極１００ｂの上記配置を実現するために、タッチ入力装置Ｔは、以下の１）〜３）の何れかの構成とすることが可能である。
【００２７】
１）タッチ入力装置Ｔは、図１Ｂ〜図１Ｃに示されるように、第１基材３００ａおよび第２基材３００ｂをさらに備えた構成とすることが可能である。第１基材３００ａおよび第２基材３００ｂは、ガラス基板又は樹脂フィルムである。第１基材３００ａおよび第２基材３００ｂは、第１基材３００ａおよび第２基材３００ｂを通じて画像表示装置Ｄの表示を視認可能となる程度の透明性を有している。第１基材３００ａおよび第２基材３００ｂは、部分的に透明であっても良いし、全体的に透明であっても良い。第１電極１００ａは、図２Ａに示されるように、第１基材３００ａの第１面上にＸ−Ｘ’方向に間隔をあけて配置されている。第２電極１００ｂは、図２Ｂに示されるように、第２基材３００ｂの第１面上にＹ−Ｙ’方向に間隔をあけて配置されている。第１基材３００ａの第２面と第２基材３００ｂの第１面とが粘着層７００で貼り合わされている。これにより、第１電極１００ａと第２電極１００ｂが互いに交差している。この場合、第１基材３００ａの第１面の平面位置が第１高さ位置に位置し、第２基材３００ｂの第１面の平面位置が第２高さ位置に位置している。なお、第１基材３００ａの第１面上には、第１電極１００ａを覆うようにカバーパネルＰが別の粘着層７００で貼り付けられていても良い。
【００２８】
２）タッチ入力装置Ｔは、第１基材３００ａをさらに備えた構成とすることが可能である。第１基材３００ａおよび第１電極１００ａは上記１）のとおりである。第２電極１００ｂは第１電極１００ａに交差するように第１基材３００ａの第２面上にＹ−Ｙ’方向に間隔をあけて配置されている。この場合、第１基材３００ａの第１面の平面位置が第１高さ位置に位置し、第１基材３００ａの第２面の平面位置が第２高さ位置に位置している。なお、第１基材３００ａの第１面上には、第１電極１００ａを覆うようにカバーパネルＰが別の粘着層７００で貼り付けられていても良い。
【００２９】
３）タッチ入力装置Ｔは、第２基材３００ｂおよび図示しない絶縁層をさらに備えた構成とすることが可能である。第２基材３００ｂおよび第２電極１００ｂは上記１）のとおりである。絶縁層は、第２電極１００ｂを覆うように第２基材３００ｂの第１面上に設けられている。第１電極１００ａが、第２電極１００ｂに交差するように絶縁層のＺ方向の面上にＸ−Ｘ’方向に間隔をあけて配置されている。この場合、絶縁層のＺ方向の面の平面位置が第１高さ位置に位置し、第２基材３００ｂの第１面の平面位置が第２高さ位置に位置している。なお、第２基材３００ｂの第１面上には、第１電極１００ａ、第２電極１００ｂおよび絶縁層を覆うようにカバーパネルＰが別の粘着層７００で貼り付けられていても良い。なお、上記したカバーパネルＰは省略可能である。
【００３０】
第１電極１００ａは、Ｙ−Ｙ’方向に延びた帯状の電極本体１１０ａを各々有している。電極本体１１０ａは、複数の第１重畳部１１１ａと、第１重畳部１１１ａ間に位置する複数の第２重畳部１１２ａとを各々有している。
【００３１】
第２電極１００ｂは、複数の幅広部１１０ｂと、この幅広部１１０ｂのＹ−Ｙ’方向の寸法よりも小さいＹ−Ｙ’方向の寸法を各々有する複数の幅狭部１２０ｂとを各々有している。幅広部１１０ｂの外形は、任意であるが、例えば、多角形（図１Ａ〜図３では、矩形状）又は円形とすることが可能である。第２電極１００ｂの各々において、幅広部１１０ｂは、第２高さ位置でＸ−Ｘ’方向に間隔をあけて配置され、且つＸ−Ｘ’方向で隣り合う幅広部１１０ｂを複数組含んでいる。この幅広部１１０ｂは、Ｚ−Ｚ’方向において電極本体１１０ａに各々重ならない。上記隣り合う第２電極１００ｂの幅広部１１０ｂ（Ｙ−Ｙ’方向で隣り合う二つの幅広部１１０ｂ）は僅かな間隙をあけて直接隣り合っていると良い。この間隙は１０μｍ〜１００μｍとすることが可能であるが、これに限定されることはない。
【００３２】
第２電極１００ｂの各々において、幅狭部１２０ｂは、第２高さ位置でＸ−Ｘ’方向で隣り合う幅広部１１０ｂ間を各々接続し且つＺ−Ｚ’方向において第１電極１００ａの電極本体１１０ａの第１重畳部１１１ａに各々重なっている。幅狭部１２０ｂが第１重畳部１１１ａに各々重なることで、両者が各々静電結合可能となるが、第１重畳部１１１ａと幅狭部１２０ｂとの各々の重なり面積は小さくなるため、交差する第１電極１００ａと第２電極１００ｂとの各々の静電容量値が小さくなる。幅狭部１２０ｂのＸ−Ｘ’方向の寸法は、第１電極１００ａの電極本体１１０ａのＸ−Ｘ’方向の寸法よりも大きくすることが可能である。例えば、幅狭部１２０ｂのＸ−Ｘ’方向の寸法は、電極本体１１０ａのＸ−Ｘ’方向の寸法よりも３０μｍ以上大きくすることが可能である。
【００３３】
また、第２電極１００ｂの各々において、幅広部１１０ｂは、複数の第１幅広部１１１ｂと、複数の第２幅広部１１２ｂとを含み、第１幅広部１１１ｂおよび第２幅広部１１２ｂは、第２高さ位置でＸ−Ｘ’方向に間隔をあけて交互に配置されると共に、Ｙ−Ｙ’方向に千鳥配置される構成とすることが可能である。より具体的には、以下の通りである。第１幅広部１１１ｂは、Ｙ方向側の第１領域１１１ｂ１と、Ｙ’方向側の第２領域１１１ｂ２とを各々有し、第２幅広部１１２ｂは、Ｙ’方向側の第１領域１１２ｂ１と、Ｙ方向側の第２領域１１２ｂ２とを各々有している。第２電極１００ｂの各々において、第１幅広部１１１ｂの第２領域１１１ｂ２と第２幅広部１１２ｂの第２領域１１２ｂ２とが、Ｘ−Ｘ’方向において重なっており、且つ幅狭部１２０ｂは、第２高さ位置で第１幅広部１１１ｂの第２領域１１１ｂ２と第２幅広部１１２ｂの第２領域１１２ｂ２との間を各々接続していると良い。上記隣り合う第２電極１００ｂは、一方の第２電極１００ｂおよび他方の第２電極１００ｂを含む。一方の第２電極１００ｂの第１幅広部１１１ｂの第１領域１１１ｂ１と、他方の第２電極１００ｂの第２幅広部１１２ｂの第１領域１１２ｂ１とがＸ−Ｘ’方向において互いに重なっている。全ての第２電極１００ｂの第１幅広部１１１ｂの第１領域１１１ｂ１および第２幅広部１１２ｂの第１領域１１２ｂ１の面積の総和は、全ての第２電極１００ｂの面積の総和の１０％〜９０％とすることが可能である。なお、幅広部１１０ｂは第１幅広部１１１ｂおよび第２幅広部１１２ｂを含まない構成とすることが可能である。すなわち、第２電極１００ｂの各々において、幅広部１１０ｂがＸ−Ｘ’方向において直線状に間隔をあけて一列で並べられていても良い。
【００３４】
上記隣り合う第２電極１００ｂ間には、Ｘ−Ｘ’方向に間隔をあけて配置された複数の空き領域αが各々設けられている。空き領域αは、幅狭部１２０ｂのうちのＹ−Ｙ’方向で隣り合う二つの幅狭部１２０ｂと、Ｘ方向側の二つの幅広部１１０ｂと、Ｘ’方向側の二つの幅広部１１０ｂとによって各々区画され、第１電極１００ａの電極本体１１０ａの第２重畳部１１２ａのＺ’方向側に配置される。換言すると、第２重畳部は、第２高さ位置で空き領域αに各々重なっている。Ｘ方向側の二つの幅広部１１０ｂは、前記二つの幅狭部１２０ｂに対してＸ方向側に各々位置し、Ｘ’方向側の二つの幅広部１１０ｂは、前記二つの幅狭部１２０ｂに対してＸ’方向側に各々位置している。以下、Ｘ方向側の二つの幅広部１１０ｂおよびＸ’方向側の二つの幅広部１１０ｂをまとめて四つの幅広部１１０ｂとも称する。
【００３５】
各第２空き領域α２周りの四つの幅広部１１０ｂは、幅狭部１２０ｂに接続される中間部と、中間部よりＹ方向側の第１端部と、中間部よりＹ’方向側の第２端部とを各々有している。四つの幅広部１１０ｂのうちのＸ方向側の二つの幅広部１１０ｂは、Ｙ方向側の幅広部１１０ｂとＹ’方向側の幅広部１１０ｂとを含み、Ｙ方向側の幅広部１１０ｂの第２端部およびＹ’方向側の幅広部１１０ｂの第１端部（Ｙ−Ｙ’方向で隣り合う端部）が、対応する空き領域αのＺ方向側の第１電極１００ａの第２重畳部１１２ａのＸ方向側の隣で、当該第２重畳部１１２ａに沿って各々Ｙ−Ｙ’方向に延びていると良い。この場合、Ｙ方向側の幅広部１１０ｂの第２端部およびＹ’方向側の幅広部１１０ｂの第１端部が、対応する第２重畳部１１２ａに静電結合可能となる。四つの幅広部１１０ｂのうちのＸ’方向側の二つの幅広部１１０ｂは、Ｙ方向側の幅広部１１０ｂとＹ’方向側の幅広部１１０ｂとを含み、Ｙ方向側の幅広部１１０ｂの第２端部およびＹ’方向側の幅広部１１０ｂの第１端部（Ｙ−Ｙ’方向で隣り合う端部）が、対応する空き領域αのＺ方向側の第１電極１００ａの第２重畳部１１２ａのＸ’方向側の隣で、当該第２重畳部１１２ａに沿って各々Ｙ−Ｙ’方向に延びていると良い。この場合、Ｙ方向側の幅広部１１０ｂの第２端部およびＹ’方向側の幅広部１１０ｂの第１端部が、対応する第２重畳部１１２ａに静電結合可能となる。
【００３６】
タッチ入力装置Ｔは、複数の第２ダミー電極２００ｂをさらに備えた構成とすることが可能である。図１Ａ〜図２Ｂでは、第２ダミー電極２００ｂにもドットを付して第１電極１００ａおよび第２電極１００ｂと区別しやすくしているが、現実に第２ダミー電極２００ｂにドットが付されているわけではないので留意されたい。
【００３７】
第２ダミー電極２００ｂは、第１電極１００ａおよび第２電極１００ｂと同様に、上記透明導電膜又は上記導体で構成されている。第２ダミー電極２００ｂの外形は、任意であるが、例えば、多角形（図１Ａ〜図２Ｂでは、矩形状）又は円形とすることが可能である。第２ダミー電極２００ｂの少なくとも一つは、第２高さ位置で空き領域α内に各々配置され、且つ第１電極１００ａの電極本体１１０ａの第２重畳部１１２ａに各々重なっている。第２電極１００ｂが上記１）の構成である場合、少なくとも一つの第２ダミー電極２００ｂは、第２基材３００ｂの第１面上に設けられている。第２電極１００ｂが上記２）の構成である場合、第１基材３００ａの第２面上に設けられている。第２電極１００ｂが上記３）の構成である場合、少なくとも一つの第２ダミー電極２００ｂは、第２基材３００ｂの第１面上に設け且つ絶縁層に覆われている。図１Ａ、図１Ｃおよび図２Ｂでは、複数の第２ダミー電極２００ｂが第２高さ位置で第２基材３００ｂの第１面上の空き領域α内に各々Ｙ−Ｙ’方向に互いに僅かな間隙をあけて配置され、且つ第１電極１００ａの電極本体１１０ａの第２重畳部１１２ａに各々重なっている。
【００３８】
各空き領域α内に第２ダミー電極２００ｂが一つ配置されている場合、第２ダミー電極２００ｂは、各空き領域α周りの上記二つの幅狭部１２０ｂに対してＹ−Ｙ’方向に各々僅かな間隙を有して配置されると共に、各空き領域α周りの上記四つの幅広部１１０ｂに対してＸ−Ｘ’方向に各々僅かな間隙を有して配置されている。各空き領域α内に第２ダミー電極２００ｂが複数配置されている場合、各空き領域α内の第２ダミー電極２００ｂのうちの最もＹ方向側の第２ダミー電極２００ｂが各空き領域α周りの上記二つの幅狭部１２０ｂのうちのＹ方向側の幅狭部１２０ｂに対してＹ−Ｙ’方向に僅かな間隙を有して配置され、各空き領域α内の第２ダミー電極２００ｂのうちの最もＹ’方向側の第２ダミー電極２００ｂが二つの幅狭部１２０ｂのうちのＹ’方向側の幅狭部１２０ｂに対してＹ−Ｙ’方向に僅かな間隙を有して配置され、各空き領域α内の第２ダミー電極２００ｂのうちのＹ方向側の一又は複数の第２ダミー電極２００ｂが、各空き領域α周りの上記四つの幅広部１１０ｂのうちＹ方向側の二つの幅広部１１０ｂに対してＸ−Ｘ’方向に僅かな間隙を有して配置され、且つ各空き領域α内の第２ダミー電極２００ｂのうちのＹ’方向側の一又は複数の第２ダミー電極２００ｂが、四つの幅広部１１０ｂのうちＹ’方向側の二つの幅広部１１０ｂに対してＸ−Ｘ’方向に僅かな間隙を有して配置されている。このように第２ダミー電極２００ｂは、各空き領域α周りの上記二つの幅狭部１２０ｂおよび上記四つの幅広部１１０ｂに接続されておらず、電気的に浮遊している。
【００３９】
空き領域αの各々において、Ｙ方向側の幅狭部１２０ｂと第２ダミー電極２００ｂとの間隙およびＹ’方向側の幅狭部１２０ｂと第２ダミー電極２００ｂとの間隙は１０μｍ〜１００μｍであり、Ｙ方向側の二つの幅広部１１０ｂとＹ方向側の一又は複数の第２ダミー電極２００ｂとの間隙およびＹ’方向側の二つの幅広部１１０ｂとＹ’方向側の一又は複数の第２ダミー電極２００ｂとの間隙は１０μｍ〜１００μｍとすると良いが、これらに限定されることはない。各空き領域α内に複数の第２ダミー電極２００ｂが配置されている場合、第２ダミー電極２００ｂ間の間隙は、１０μｍ〜１００μｍとすると良いが、これに限定されることはない。
【００４０】
第２電極１００ｂおよび第２ダミー電極２００ｂが配置される第２高さ位置の電極領域の面積のうち、第２電極１００ｂおよび第２ダミー電極２００ｂが占める面積は、８０％〜９９％とすると良い。換言すると、第２高さ位置の第２電極領域の面積のうち、上記間隙が占める面積は、２０％〜１％とすると良い。なお、電極領域は、Ｙ方向の最も端の第２電極１００ｂと、Ｙ’方向の最も端の第２電極１００ｂと、第２電極１００ｂのＸ方向の端と、第２電極１００ｂのＸ’方向の端とによって区画することができるが、これはあくまで一例であり、電極領域は任意に区画できる。なお、空き領域α内に一つの第２ダミー電極２００ｂが各々配置されている場合、上記間隙が占める面積は、隣り合う第２電極１００ｂの幅広部１１０ｂ間の間隙の面積と、空き領域α内の第２ダミー電極２００ｂと当該空き領域α周りの上記二つの幅狭部１２０ｂとの間の間隙、および空き領域α内の第２ダミー電極２００ｂと当該空き領域α周りの上記四つの幅広部１１０ｂとの間の間隙の面積との総和とすると良い。空き領域α内に複数の第２ダミー電極２００ｂが各々配置されている場合、上記間隙が占める面積は、隣り合う第２電極１００ｂの幅広部１１０ｂ間の間隙の面積と、空き領域α内の最もＹ方向側の第２ダミー電極２００ｂとＹ方向側の幅狭部１２０ｂとの間の間隙の面積と、空き領域α内の最もＹ’方向側の第２ダミー電極２００ｂとＹ’方向側の幅狭部１２０ｂとの間の間隙の面積と、空き領域α内のＹ方向側の一又は複数の第２ダミー電極２００ｂとＹ方向側の二つの幅狭部１２０ｂとの間の間隙の面積と、空き領域α内のＹ’方向側の一又は複数の第２ダミー電極２００ｂとＹ’方向側の二つの幅狭部１２０ｂとの間の間隙の面積との総和とすると良い。
【００４１】
第２ダミー電極２００ｂのＸ−Ｘ’方向の寸法は、第１電極１００ａの電極本体１１０ａのＸ−Ｘ’方向の寸法よりも大きくすることが可能である。例えば、第２ダミー電極２００ｂのＸ−Ｘ’方向の寸法は、電極本体１１０ａのＸ−Ｘ’方向の寸法よりも３０μｍ以上大きくすることが可能である。なお、第２ダミー電極２００ｂは省略可能である。
【００４２】
第１電極１００ａは、複数の第１枝部１２０ａおよび複数の第２枝部１３０ａの少なくとも一方をさらに有する構成とすることが可能である。第１枝部１２０ａは、第１高さ位置で電極本体１１０ａの第１重畳部１１１ａのＸ方向の端およびＸ’方向の端の少なくとも一方からＸ−Ｘ’方向に各々延びている。以下、説明の便宜上、第１重畳部１１１ａのＸ方向の端からＸ方向に延びた第１枝部１２０ａをＸ方向側の第１枝部１２０ａと称し、第１重畳部１１１ａのＸ’方向の端からＸ’方向に延びた第１枝部１２０ａをＸ’方向側の第１枝部１２０ａと称する。
【００４３】
Ｘ方向側の第１枝部１２０ａは、対応する第１重畳部１１１ａのＸ方向の隣の第２電極１００ｂの一部にＺ−Ｚ’方向において各々重なっている。この第２電極１００ｂの一部は、対応する第１重畳部１１１ａが重なる幅狭部１２０ｂの第１重畳部１１１ａよりもＸ方向の部分、又は図１Ａに示されるように当該幅狭部１２０ｂの第１重畳部１１１ａよりもＸ方向の部分およびこれに接続されたＸ方向側の幅広部１１０ｂである。Ｘ’方向側の第１枝部１２０ａは、対応する第１重畳部１１１ａのＸ’方向の隣の第２電極１００ｂの一部にＺ−Ｚ’方向において各々重なっている。この第２電極１００ｂの一部は、対応する第１重畳部１１１ａが重なる幅狭部１２０ｂの第１重畳部１１１ａよりもＸ’方向の部分、又は図１Ａに示されるように当該幅狭部１２０ｂの第１重畳部１１１ａよりもＸ’方向の部分およびこれに接続されたＸ’方向側の幅広部１１０ｂである。
【００４４】
第１枝部１２０ａの各々の長さ（図１Ａおよび図２Ａでは、Ｘ−Ｘ’方向の寸法）および／又は幅（図１Ａおよび図２Ａでは、Ｙ−Ｙ’方向の寸法）を大きくすると、第１電極１００ａとこれに交差する第２電極１００ｂとの各々の重なり面積が大きくなり、これに応じて第１電極１００ａとこれに交差する第２電極１００ｂとの各々の静電容量値が大きくなる。一方、第１枝部１２０ａの各々の長さおよび／又は幅を小さくすると、第１電極１００ａとこれに交差する第２電極１００ｂとの各々の重なり面積が小さくなり、これに応じて第１電極１００ａとこれに交差する第２電極１００ｂとの各々の静電容量値が小さくなる。第１枝部１２０ａの各々の長さおよび／又は幅を調整し、設定することで、交差する第１電極１００ａと第２電極１００ｂとの各々の静電容量値を調整し、所望の値（例えば、０．１ｐＦ〜５ｐＦ）に設定できる。
【００４５】
第２枝部１３０ａは、第１高さ位置で電極本体１１０ａの第２重畳部１１２ａのＸ方向の端およびＸ’方向の端の少なくとも一方からＸ−Ｘ’方向に各々延びている。以下、説明の便宜上、第２重畳部１１２ａのＸ方向の端からＸ方向に延びた第２枝部１３０ａをＸ方向側の第２枝部１３０ａと称し、第２重畳部１１２ａのＸ’方向の端からＸ’方向に延びた第２枝部１３０ａをＸ’方向側の第２枝部１３０ａと称する。
【００４６】
Ｘ方向側の第２枝部１３０ａは、幅広部１１０ｂのうち、当該第２枝部１３０ａが接続された第２重畳部１１２ａに対してＸ方向の隣に位置する幅広部１１０ｂに各々Ｚ−Ｚ’方向において重なっている。Ｘ’方向側の第２枝部１３０ａは、幅広部１１０ｂのうち、当該第２枝部１３０ａが接続された第２重畳部１１２ａに対してＸ’方向の隣に位置する幅広部１１０ｂに各々Ｚ−Ｚ’方向において重なっている。
【００４７】
第２枝部１３０ａは対応する幅広部１１０ｂに各々重なっているため、第２枝部１３０ａと対応する幅広部１１０ｂとが静電結合可能となる。第２枝部１３０ａの各々の長さ（図１Ａおよび図２Ｂでは、Ｘ−Ｘ’方向の寸法）および／又は幅（図１Ａおよび図２Ｂでは、Ｙ−Ｙ’方向の寸法）を大きくすると、第２枝部１３０ａと対応する幅広部１１０ｂとの重なり面積が大きくなり、その静電結合が強くなる。第２枝部１３０ａの各々の長さおよび／又は幅を小さくすると、第２枝部１３０ａと対応する幅広部１１０ｂとの重なり面積が小さくなり、その静電結合が弱くなる。このように第２枝部１３０ａの各々の長さおよび／又は幅を調整し、設定することで、第２枝部１３０ａ付近の検出感度を向上させることができる。なお、上記した第１枝部１２０ａおよび／又は第２枝部１３０ａは省略可能である。
【００４８】
タッチ入力装置Ｔは、複数の第１引き出し線４００ａおよび複数の第２引き出し線４００ｂをさらに備えた構成とすることが可能である。第１引き出し線４００ａは、第１高さ位置で第１電極１００ａの電極本体１１０ａに各々接続されている。第１電極１００ａが上記１）又は２）の構成である場合、第１引き出し線４００ａは、第１基材３００ａの第１面上に設けられていると良い。第１電極１００ａが上記３）の構成である場合、第１引き出し線４００ａは、絶縁層のＺ方向の面上に設けられていると良い。第２引き出し線４００ｂは、第２高さ位置で第２電極１００ｂに各々接続されている。第２電極１００ｂが上記１）又は３）の構成である場合、第２引き出し線４００ｂは、第２基材３００ｂの第１面上に設けられていると良い。第２電極１００ｂが上記２）の構成である場合、第２引き出し線４００ｂは、第１基材３００ａの第２面上に設けられていると良い。
【００４９】
第１引き出し線４００ａおよび第２引き出し線４００ｂは、ａ）検出部１０（例えば、検出ＩＣ等）に直接接続される構成、又はｂ）外部接続部２０を介して間接的に接続される構成とすることが可能である。外部接続部２０は、例えば、フレキシブル基板等である。外部接続部２０は、第１引き出し線４００ａに各々接続可能な複数の第１接続ラインと、第２引き出し線４００ｂに各々接続可能な複数の第２接続ラインとを有している。第１接続ラインおよび第２接続ラインが検出部１０に接続される。
【００５０】
検出部１０は、駆動電極に順次駆動パルスを供給し、これに応じて検出電極から順次得られる出力信号（電圧又は電流）を増幅し、増幅した信号（以下、増幅信号）が検出部１０のメモリ内の閾値を超えるか否かについて判断している。上記した第１電極１００ａと第２電極１００ｂとの複数の静電結合箇所の各々に指やタッチペンなどの検出対象が接近（タッチを含む。）すると、当該箇所の静電容量が変化し、当該箇所を有する検出電極の出力信号が変化する。検出部１０は、検出電極の出力信号を増幅し、増幅信号が閾値を超えたと判断したとき、駆動パルスを供給した駆動電極と、出力信号を出力した検出電極との静電結合箇所に検出対象が接近したことを検出する。検出部１０は、駆動電極に順次駆動パルスを供給するとき、駆動パルスを供給しない（駆動していない）駆動電極をグランドと同レベルに設定するようになっていると良い。なお、検出部１０のメモリには、増幅信号の上限値が設定されており、増幅信号が上限値を超える場合、検出部１０は飽和状態となる。
【００５１】
タッチ入力装置Ｔは、少なくとも一つの周辺グランド電極５００ａおよび／又は少なくとも一つの周辺グランド電極５００ｂをさらに備えた構成とすることが可能である。なお、図１Ａでは、図示の便宜上、周辺グランド電極５００ａおよび周辺グランド電極５００ｂが省略されているが、図２Ａに周辺グランド電極５００ａが図示され、且つ図２Ｂに周辺グランド電極５００ｂが図示されている。なお、図２Ａでは周辺グランド電極５００ａに、図２Ｂでは周辺グランド電極５００ｂにドットを付しているが、現実に周辺グランド電極５００ａおよび周辺グランド電極５００ｂにドットが付されているわけではないので留意されたい。
【００５２】
少なくとも一つの周辺グランド電極５００ａは、図２Ａに最も良く示されているように、第１高さ位置で第１電極１００ａの周りに配置されていると良い。第１電極１００ａが上記１）又は２）の構成である場合、少なくとも一つの周辺グランド電極５００ａは、第１基材３００ａの第１面上に設けられていると良い。第１電極１００ａが上記３）の構成である場合、少なくとも一つの周辺グランド電極５００ａは、絶縁層のＺ方向の面上に設けられていると良い。少なくとも一つの周辺グランド電極５００ａと第１電極１００ａとの間には、第１引き出し線４００ａが設けられていると良い。少なくとも一つの周辺グランド電極５００ａは、Ｚ−Ｚ’方向において第２引き出し線４００ｂの少なくとも一部に重なるように配置されていても良い。なお、図１Ａおよび図２Ａでは、周辺グランド電極５００ａは複数である。
【００５３】
少なくとも一つの周辺グランド電極５００ｂは、図２Ｂに最も良く示されているように、第２高さ位置で、第２電極１００ｂおよび第２ダミー電極２００ｂの周りに配置されていると良い。第２電極１００ｂが上記１）又は３）の構成である場合、少なくとも一つの周辺グランド電極５００ｂは、第２基材３００ｂの第１面上に設けられていると良い。第２電極１００ｂが上記２）の構成である場合、少なくとも一つの周辺グランド電極５００ｂは、第１基材３００ａの第２面上に設けられていると良い。少なくとも一つの周辺グランド電極５００ｂと第２電極１００ｂとの間には、第２引き出し線４００ｂが設けられていると良い。少なくとも一つの周辺グランド電極５００ｂは、Ｚ−Ｚ’方向において第１引き出し線４００ａの少なくとも一部に重なるように配置されていても良い。なお、図１Ａおよび図２Ｂでは、周辺グランド電極５００ｂは複数である。なお、周辺グランド電極５００ａおよび／又は周辺グランド電極５００ｂは省略可能である。
【００５４】
タッチ入力装置Ｔは、少なくとも一つの第３引き出し線６００ａおよび／又は少なくとも一つの第４引き出し線６００ｂをさらに備えた構成とすることが可能である。少なくとも一つの第３引き出し線６００ａは、少なくとも一つの周辺グランド電極５００ａに接続されていると良い。少なくとも一つの周辺グランド電極５００ａは第１基材３００ａの第１面上に設けられている場合、少なくとも一つの第３引き出し線６００ａも第１基材３００ａの第１面上に設けられていると良い。少なくとも一つの周辺グランド電極５００ａが絶縁層のＺ方向の面上に設けられている場合、少なくとも一つの第３引き出し線６００ａも、絶縁層のＺ方向の面上に設けられていると良い。
【００５５】
少なくとも一つの第４引き出し線６００ｂは、少なくとも一つの周辺グランド電極５００ｂに接続されていると良い。少なくとも一つの周辺グランド電極５００ｂが第２基材３００ｂの第１面上に設けられている場合、少なくとも一つの第４引き出し線６００ｂも第２基材３００ｂの第１面上に設けられていると良い。少なくとも一つの周辺グランド電極５００ｂが第１基材３００ａの第２面上に設けられている場合、少なくとも一つの第４引き出し線６００ｂも第１基材３００ａの第２面上に設けられていると良い。第３引き出し線６００ａおよび第４引き出し線６００ｂも検出部１０に直接的又は外部接続部２０を介して間接的に接続可能である。なお、周辺グランド電極５００ａおよび／又は周辺グランド電極５００ｂは省略可能である。
【００５６】
タッチ入力装置Ｔの別の態様では、図３に示すように、複数の第１ダミー電極２００ａをさらに備えた構成とすることが可能である。なお、図３では、第１電極１００ａ、第１ダミー電極２００ａおよび周辺グランド電極５００ａにドットを付して区別しやすくしているが、現実に第１電極１００ａ、第１ダミー電極２００ａおよび周辺グランド電極５００ａにドットが付されているわけではないので留意されたい。
【００５７】
第１ダミー電極２００ａは、第１高さ位置で隣り合う第１電極１００ａ間に互いに僅かな間隙をあけて配置されている。第１ダミー電極２００ａは隣り合う第１電極１００ａに対して各々僅かな間隙を有している。第１電極１００ａが上記１）又は２）の構成である場合、第１ダミー電極２００ａは、第１基材３００ａの第１面上に設けられていると良い。第１電極１００ａが上記３）の構成である場合、第１ダミー電極２００ａは、絶縁層のＺ方向の面上に設けられていると良い。
【００５８】
第１電極１００ａおよび第１ダミー電極２００ａが配置される第１高さ位置の第１電極領域の面積のうち、第１電極１００ａおよび第１ダミー電極２００ａが占める面積は、８０％〜９９％とすると良い。換言すると、第１電極領域の面積のうち、第１電極１００ａおよび第１ダミー電極２００ａの間の間隙および第１ダミー電極２００ａ間の間隙が占める面積は、２０％〜１％とすると良い。なお、第１電極領域は、第１電極１００ａのＹ方向の最も端と、第１電極１００ａのＹ’方向の最も端と、最もＸ方向の端の第１ダミー電極２００ａと、最もＸ’方向の端の第１ダミー電極２００ａとによって区画することができるが、これはあくまで一例であり、第１電極領域は任意に区画できる。なお、第１ダミー電極２００ａは省略可能である。
【００５９】
以上のようなタッチ入力装置Ｔによる場合、以下の技術的特徴および効果を奏する。第１に、タッチ入力装置Ｔの検出感度を向上させることができる。その理由は以下の通りである。第２電極１００ｂの幅狭部１２０ｂが第１電極１００ａの電極本体１１０ａの第１重畳部１１１ａに各々重なっているので、両者の重なり面積が小さい。このため、交差する第１電極１００ａと第２電極１００ｂとの各々の静電容量値を小さくすることができるので、第１、第２電極１００ａ、１００ｂの一方の電極の出力信号が、検出部１０に入力され、検出部１０によって増幅されたとしても、増幅された信号が検出部１０の上限値を超える可能性を低減することができる。よって、一方の電極の出力信号を大きく増幅させることが可能になるので、タッチ入力装置Ｔの感度を向上させることが可能になる。
【００６０】
第２に、図示しない比較例のタッチ入力装置としては、平行に配置された短冊状（ストリップライン状）の複数の第１電極と、第１電極と異なる高さ位置で第１電極に直交するように配置された短冊状（ストリップライン状）の複数の第２電極を備えているものがある。この場合、第１電極および第２電極の直交部の静電結合が強いため、当該直交部の検出感度は強くなる。その一方で、第１電極間及び第２電極間の部分では、第１電極と第２電極の静電結合が弱くなるため、当該部分の検出感度が弱くなる。そのため、両者の検出感度にバラツキが生じている。一方、タッチ入力装置Ｔの面内の検出感度のバラツキが抑制される。その理由は以下の通りである。第１電極１００ａの第１重畳部１１１ａと第２電極１００ｂの幅狭部１２０ｂとが互いに重なり、静電結合するので、当該部分で検出対象の接近を検出することが可能であると共に、各空き領域αの周りでも検出対象の接近を検出することが可能である。各空き領域αの周りのＸ方向側の二つの幅広部１１０ｂの互いに隣り合う端部が、対応する空き領域αのＺ方向側の第２重畳部１１２ａのＸ方向の隣で当該第２重畳部１１２ａに沿って延び、Ｘ方向側の二つの幅広部１１０ｂと当該第２重畳部１１２ａとが静電結合し、且つＸ’方向側の二つの幅広部１１０ｂの互いに隣り合う端部が、当該第２重畳部１１２ａのＸ’方向の隣で当該第２重畳部１１２ａに沿って延びているので、Ｘ’方向側の二つの幅広部１１０ｂと当該第２重畳部１１２ａとが静電結合しているからである。また、第２電極１００ｂの各々の幅広部１１０ｂが、複数の第１幅広部１１１ｂと、複数の第２幅広部１１２ｂとを含み、且つ上記隣り合う第２電極１００ｂが、一方の第２電極１００ｂおよび他方の第２電極１００ｂを含む場合、一方の第２電極１００ｂの第１幅広部１１１ｂの第１領域１１１ｂ１と、他方の第２電極１００ｂの第２幅広部１１２ｂの第１領域１１２ｂ１とがＸ−Ｘ’方向において互いに重なっている。全ての第２電極１００ｂの第１幅広部１１１ｂの第１領域１１１ｂ１および第２幅広部１１２ｂの第１領域１１２ｂ１の面積の総和は、全ての第２電極１００ｂの面積の総和の１０％〜９０％である。そのため、上記隣り合う第２電極の各々において、一方の第２電極１００ｂの第１幅広部１１１ｂの第２領域１１１ｂ２と他方の第２電極１００ｂの第１幅広部１１１ｂの第１領域１１１ｂ１との間（第２方向で隣り合う第１幅広部１１１ｂの間）の部分が、一方の第２電極１００ｂの第１幅広部１１１ｂに接続された幅狭部１２０ｂと第１電極１００ａの第２重畳部１１２ａとの交差部に各々近くなり、一方の第２電極１００ｂの第２幅広部１１２ｂの第１領域１１２ｂ１と他方の第２電極１００ｂの第２幅広部１１２ｂの第２領域１１２ｂ２との間（第２方向で隣り合う第２幅広部１１２ｂの間）の部分が、他方の第２電極１００ｂの第２幅広部１１２ｂに接続された幅狭部１２０ｂと第１電極１００ａの第２重畳部１１２ａとの交差部に各々近くなる。このため、隣り合う第１幅広部１１１ｂの間の何れか一つに検出対象が接近した場合、その近傍の交差部で検出が可能になり、隣り合う第２幅広部１１２ｂの間の何れか一つに検出対象が接近した場合、その近傍の交差部で検出が可能になる。このため、隣り合う第１幅広部１１１ｂの間および隣り合う第２幅広部１１２ｂの間の検出感度と、交差部の検出感度とのバラツキが抑制される。
【００６１】
第３に、第２電極１００ｂの幅狭部１２０ｂが第１電極１００ａの電極本体１１０ａの第１重畳部１１１ａに各々重なり、且つ第２ダミー電極２００ｂの少なくとも一つが第１電極１００ａの電極本体１１０ａの第２重畳部１１２ａに各々重なっている場合、タッチ入力装置のインビジブル性（第１電極のパターン見え）が改善される。
【００６２】
第４に、上記第１の技術的特徴によって、交差する第１電極１００ａと第２電極１００ｂとの各々の静電容量値が小さくなりすぎる場合がある。しかし、第１電極１００ａが複数の第１枝部１２０ａを各々有する場合、第１枝部１２０ａの各々の長さおよび／又は幅を調整し、設定することで、交差する第１電極１００ａと第２電極１００ｂの各々の重なり面積を大きくし、第１電極１００ａと第２電極１００ｂとの各々の静電容量値を増加させることができる。よって、交差する第１電極１００ａと第２電極１００ｂとの各々の静電容量値を所望の値にすることが可能になる。
【００６３】
第５に、上記四つの幅広部１１０ｂとこれに対応する第２重畳部１１２ａとは、Ｚ−Ｚ’方向において各々互いに重なっていないため、この部分（空き領域α周辺）の感度が、第２電極１００ｂの幅狭部１２０ｂと第１電極１００ａの第１重畳部１１１ａとの部分（交差部）の感度よりも低くなることがある。しかし、第１電極１００ａが複数の第２枝部１３０ａを各々有する場合、第２枝部１３０ａが対応する幅広部１１０ｂと各々重なり、両者が各々静電結合するため、第２枝部１３０ａ周辺の感度を向上させることができる。第２枝部１３０ａの各々の長さおよび／又は幅を調整し、設定することで、第２枝部１３０ａ周辺の感度と前記交差部との感度を略同じとすることも可能である。
【００６４】
第６に、タッチ入力装置Ｔに対するＺ’方向からの電磁的な干渉（例えば、画像表示装置Ｄから生じるノイズ等の干渉）を低減できる。その理由は以下の通りである。第２電極１００ｂの幅狭部１２０ｂのＸ−Ｘ’方向の寸法および第２ダミー電極２００ｂのＸ−Ｘ’方向の寸法が、第１電極１００ａの電極本体１１０ａのＸ−Ｘ’方向の寸法よりも大きい場合、第２電極１００ｂの幅狭部１２０ｂおよび第２ダミー電極２００ｂが電極本体１１０ａをＺ’方向から覆う。この第２電極１００ｂの幅狭部１２０ｂおよび第２ダミー電極２００ｂによって、第１電極１００ａの電極本体１１０ａに対するＺ’方向からの電磁的な干渉を低減できる。また、第２電極領域の面積のうち、第２電極１００ｂおよび第２ダミー電極２００ｂが占める面積を８０％〜９９％とした場合、第２電極領域の殆どの領域が、第２電極１００ｂおよび第２ダミー電極２００ｂに占有されていることになる。この場合、第２電極１００ｂおよび第２ダミー電極２００ｂによって、第１電極１００ａに対するＺ’方向からの電磁的な干渉を低減できる。
【００６５】
第７に、第２電極１００ｂおよび第２ダミー電極２００ｂが設けられた基材に歪みが生じる可能性を低減できる。その理由は以下の通りである。上記比較例のタッチ入力装置の場合、基材には第２電極が設けられていない領域と設けられている領域とが交互に存在する。この基材では、第２電極が設けられた領域と、第２電極が設けられていない領域とで熱膨張および／又は熱収縮量に差が生じ、第２電極の形に応じて基材が歪むことがある。しかし、タッチ入力装置Ｔは、第２電極１００ｂが複数の幅広部１１０ｂおよび複数の幅狭部１２０ｂを有し、隣り合う第２電極１００ｂ間の間隙がジグザグとなる。特に、隣り合う第２電極１００ｂのうちの一方の第２電極１００ｂの第１幅広部１１１ｂの第１領域１１１ｂ１と、他方の第２電極１００ｂの第２幅広部１１２ｂの第１領域１１２ｂ１とがＸ−Ｘ’方向において互いに重なっている場合、一方の第２電極１００ｂと他方の第２電極１００ｂとの間の間隙がよりジグザグ状となる。これにより、基材が熱膨張および／又は熱収縮したときに、第２電極１００ｂの形に応じて基材が歪み難い。更に、上記隣り合う第２電極１００ｂ間の空き領域αに第２ダミー電極２００ｂが各々設けられている場合、基材の電極が設けられていない領域がさらに小さくなるので、第２電極１００ｂおよび第２ダミー電極２００ｂが設けられた基材に歪みがより生じ難くなる。また、第２電極領域の面積の８０％〜９９％を第２電極１００ｂおよび第２ダミー電極２００ｂで占有するようにすれば、第２電極１００ｂおよび第２ダミー電極２００ｂで占有されていない領域が殆どないため、第２電極１００ｂおよび第２ダミー電極２００ｂが設けられた基材により歪みが生じ難くなる。なお、第２電極領域と同様に、第１電極領域の面積の８０％〜９９％を第１電極１００ａおよび第１ダミー電極２００ａで占有した場合、第１電極１００ａおよび第１ダミー電極２００ａが設けられた基材に歪みが生じ難くなる。
【００６６】
第８に、タッチ入力装置Ｔが第１ダミー電極２００ａを備えている場合、タッチ入力装置Ｔに対するＺ方向からの電磁的な干渉（タッチ入力装置Ｔの外部機器から電磁的な干渉）を低減できる。第１電極領域の面積の８０％〜９９％を第１電極１００ａおよび第１ダミー電極２００ａで占有した場合、この第６の技術的特徴および効果は向上する。
【００６７】
なお、上記したタッチ入力装置は、上記実施例に限定されるものではなく、特許請求の範囲の記載範囲において任意に設計変更することが可能である。以下、詳しく述べる。
【００６８】
本発明の各空き領域内には、複数の第２ダミー電極がＸ−Ｘ’方向において互いに僅かな間隙をあけて配置されていても良い。
【００６９】
本発明の第１基材と第２基材との間には、少なくとも一つの第３基材が設けられていても良い。
【００７０】
本発明の第１引き出し線は、第１高さ位置と異なる高さ位置に設けられていても良い。この場合、第１引き出し線が基材のスルーホール電極等の第１接続手段を介して第１電極に各々接続されている良い。本発明の第２引き出し線は、第２高さ位置と異なる高さ位置に設けられていても良い。この場合、第２引き出し線が基材のスルーホール電極等の第２接続手段を介して第２電極に各々接続されていると良い。また、本発明では、第１引き出し線および／又は第２引き出し線に代えて、ピンやケーブル等の別の接続手段が第１電極および／又は第２電極に接続されていても良い。なお、本発明の第３および／又は第４引き出し線は、本発明の第１引き出し線等と同様に設計変更することが可能である。
【００７１】
本発明のタッチ入力装置が少なくとも部分的に曲面状に湾曲している場合、本発明の第１高さ位置は、少なくとも部分的に曲面状に湾曲した第１基材３００ａの第１面又は絶縁層のＺ方向の面上の位置とすることが可能であり、本発明の第２高さ位置は、少なくとも部分的に曲面状に湾曲した第２基材３００ｂの第１面又は第１基材３００ａの第２面上の位置とすることが可能である。
【００７２】
なお、上記実施例の各態様および設計変形例におけるタッチ入力装置の各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。なお、本発明の第１方向は、本発明の第１電極の配列方向である限り任意に設定可能である。本発明の第２方向は、第１方向に交差する限り任意に設定可能である。本発明のＺ−Ｚ’方向（第３方向）は、第１方向および第２方向に交差しており且つ第１方向および第２方向が位置する平面上に位置しない限り任意に設定することができる。
【符号の説明】
【００７３】
Ｔ：タッチ入力装置
１００ａ：第１電極
１１０ａ：電極本体
１１１ａ：第１重畳部
１１２ａ：第２重畳部
１２０ａ：第１枝部
１３０ａ：第２枝部
１００ｂ：第２電極
１１０ｂ：幅広部
１１１ｂ：第１幅広部
１１２ｂ：第２幅広部
１２０ｂ：幅狭部
２００ａ：第１ダミー電極
２００ｂ：第２ダミー電極
３００ａ：第１基材
３００ｂ：第２基材
４００ａ：第１引き出し線
４００ｂ：第２引き出し線
５００ａ：周辺グランド電極
５００ｂ：周辺グランド電極
６００ａ：第３引き出し線
６００ｂ：第４引き出し線
７００：粘着層
Ｐ：カバーパネル
１０：検出部
２０：外部接続部
Ｄ：画像表示装置
【図１Ａ】
2018072916.tif 000003
【図１Ｂ】
2018072916.tif 000004
【図１Ｃ】
2018072916.tif 000005
【図２Ａ】
2018072916.tif 000006
【図２Ｂ】
2018072916.tif 000007
【図３】
2018072916.tif 000008
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
第１高さ位置で第１方向に間隔をあけて配置された複数の第１電極と、
前記第１高さ位置と異なる第２高さ位置で前記第１電極に交差するように前記第１方向に交差する第２方向に間隔をあけて配置された複数の第２電極とを備えており、
前記第１電極は、前記第１高さ位置で前記第２方向に延びた帯状の電極本体を各々有し、前記電極本体は、複数の第１重畳部を各々有しており、
前記第２電極は、複数の幅広部と、前記幅広部の前記第２方向の寸法よりも小さい前記第２方向の寸法を有する複数の幅狭部とを各々有しており、前記第２電極の各々において、前記幅広部は、前記第２高さ位置で前記第１方向に間隔をあけて配置され、且つ前記第１方向で隣り合う幅広部を複数組含んでおり、前記幅狭部は、前記第２高さ位置で前記隣り合う幅広部間を各々接続し且つ前記第１電極の前記第１重畳部に各々重なっているタッチ入力装置。
【請求項２】
請求項１記載のタッチ入力装置において、
前記第２電極は、前記第２方向で隣り合う第２電極を複数組含み、前記隣り合う第２電極の間に複数の空き領域が各々設けられており、前記空き領域は、前記幅狭部のうちの前記第２方向で隣り合う幅狭部および前記幅広部のうちの四つの幅広部によって各々区画されており、前記四つの幅広部は、前記隣り合う幅狭部の前記第１方向の一方の隣に各々位置する二つの幅広部と、前記隣り合う幅狭部の前記第１方向の他方の隣に各々位置する別の二つの幅広部とを含み、
前記第１電極の前記電極本体は、前記第１重畳部の間に各々位置し且つ前記第１高さ位置で前記空き領域に各々重なる複数の第２重畳部を各々さらに有しており、
前記タッチ入力装置は、複数の第２ダミー電極をさらに備えており、
前記第２ダミー電極の少なくとも一つが、前記第２高さ位置で電気的に浮遊するように前記空き領域内に各々配置され、且つ前記第１電極の前記第２重畳部に各々重なっているタッチ入力装置。
【請求項３】
請求項１〜２の何れかに記載のタッチ入力装置において、
前記第２電極は、前記第２方向で隣り合う第２電極を複数組含み、前記隣り合う第２電極の間に複数の空き領域が各々設けられており、前記空き領域は、前記幅狭部のうちの前記第２方向で隣り合う幅狭部および前記幅広部のうちの四つの幅広部によって各々区画されており、前記四つの幅広部は、前記隣り合う幅狭部の前記第１方向の一方の隣に各々位置する二つの幅広部と、前記隣り合う幅狭部の前記第１方向の他方の隣に各々位置する別の二つの幅広部とを含み、
前記第１電極の前記電極本体は、前記第１重畳部の間に各々位置し且つ前記第１高さ位置で前記空き領域に各々重なる複数の第２重畳部を各々さらに有しており、
前記二つの幅広部の前記第２方向で隣り合う端部が、対応する前記空き領域に重なる前記第２重畳部の前記第１方向の一方の隣に各々位置し且つ当該第２重畳部に沿って各々延びており、
前記別の二つの幅広部の前記第２方向で隣り合う端部が、対応する前記空き領域に重なる前記第２重畳部の前記第１方向の他方の隣に各々位置し且つ当該第２重畳部に沿って各々延びているタッチ入力装置。
【請求項４】
請求項１〜３の何れかに記載のタッチ入力装置において、
前記第１電極は、前記第１高さ位置で前記電極本体の前記第１重畳部から当該第１重畳部の隣の前記第２電極の一部に各々重なるように延びた複数の第１枝部を各々さらに有しているタッチ入力装置。
【請求項５】
請求項２又は３記載のタッチ入力装置において、
前記第１電極は、前記第１高さ位置で前記電極本体の前記第２重畳部から当該第２重畳部の隣の前記幅広部に各々重なるように延びた複数の第２枝部を各々さらに有しているタッチ入力装置。
【請求項６】
請求項１〜５の何れかの記載のタッチ入力装置において、
前記第２電極の各々の前記幅広部は、前記第２高さ位置で前記第１方向に間隔をあけて交互に配置されると共に、前記第２方向に千鳥配置された複数の第１幅広部および複数の第２幅広部を含んでおり、
前記第１幅広部は、当該第１幅広部の前記第２方向の一方側の領域である第１領域と、当該第１幅広部の前記第２方向の他方側の領域である第２領域を有し、
前記第２幅広部は、当該第２幅広部の前記第２方向の他方側の領域である第１領域と、当該第２幅広部の前記第２方向の一方側の領域である第２領域を有し、
前記第２電極の各々において、前記第１幅広部の前記第２領域と前記第２幅広部の前記第２領域とが前記第１方向において互いに重なっており、
前記隣り合う第２電極は一方の第２電極および他方の第２電極を各々含み、
前記一方の第２電極の前記第１幅広部の前記第１領域と、前記他方の第２電極の前記第２幅広部の前記第１領域とが前記第１方向において互いに重なっており、
全ての前記第２電極の前記第１幅広部の前記第１領域および前記第２幅広部の前記第１領域の面積の総和は、全ての前記第２電極の面積の総和の１０％〜９０％であるタッチ入力装置。
【請求項７】
請求項１〜６の何れかに記載のタッチ入力装置において、
前記第１電極は、前記第１方向で隣り合う第１電極を複数組含み、
前記タッチ入力装置は、前記第１高さ位置で、前記隣り合う第１電極間に間隙を有して配置された複数の第１ダミー電極をさらに備えているタッチ入力装置。
【請求項８】
請求項１〜７の何れかに記載のタッチ入力装置において、
交差する前記第１電極および前記第２電極の各々の静電容量値は、０.１ｐＦ〜５ｐＦ
であるタッチ入力装置。
【手続補正２】
【補正対象書類名】明細書
【補正対象項目名】０００９
【補正方法】変更
【補正の内容】
【０００９】
第２電極は、第２方向で隣り合う第２電極を複数組含み、隣り合う第２電極の間に複数の空き領域が各々設けられた構成とすることが可能である。空き領域は、幅狭部のうちの第２方向で隣り合う幅狭部および幅広部のうちの四つの幅広部によって各々区画されていると良い。四つの幅広部は、隣り合う幅狭部の第１方向の一方の隣に各々位置する二つの幅広部と、隣り合う幅狭部の第１方向の他方の隣に各々位置する別の二つの幅広部とを含むようにすると良い。
【手続補正３】
【補正対象書類名】明細書
【補正対象項目名】００１８
【補正方法】変更
【補正の内容】
【００１８】
上記態様のタッチ入力装置の面内の検出感度のバラツキを抑制することができる。その理由は以下の通りである。一方の第２電極の第１幅広部の第１領域と、他方の第２電極の第２幅広部の第１領域とが第１方向において互いに重なっており、全ての第２電極の第１幅広部の第１領域および第２幅広部の第１領域の面積の総和は、全ての第２電極の面積の総和の１０％〜９０％である。そのため、隣り合う第２電極の各々において、一方の第２電極の第１幅広部の第２領域と他方の第２電極の第１幅広部の第１領域との間（第２方向で隣り合う第１幅広部の間）の部分が、一方の第２電極の第１幅広部に接続された幅狭部と第１電極の第１重畳部との交差部に各々近くなり、一方の第２電極の第２幅広部の第１領域と他方の第２電極の第２幅広部の第２領域との間（第２方向で隣り合う第２幅広部の間）の部分が、他方の第２電極の第２幅広部に接続された幅狭部と第１電極の第１重畳部との交差部に各々近くなる。このため、隣り合う第１幅広部の間の何れか一つに検出対象が接近した場合、その近傍の交差部で検出が可能になり、隣り合う第２幅広部の間の何れか一つに検出対象が接近した場合、その近傍の交差部で検出が可能になる。このため、隣り合う第１幅広部の間および隣り合う第２幅広部の間の検出感度と、交差部の検出感度とのバラツキが抑制される。
【手続補正４】
【補正対象書類名】明細書
【補正対象項目名】００１９
【補正方法】変更
【補正の内容】
【００１９】
第１電極は、第１方向で隣り合う第１電極を複数組含むようにすることが可能である。上記した何れかの態様のタッチ入力装置は、複数の第１ダミー電極をさらに備えた構成とすることが可能である。第１ダミー電極は、第１高さ位置で、隣り合う第１電極間に間隙を有して配置された構成とすることが可能である。このような態様のタッチ入力装置による場合、隣り合う第１電極間の第１ダミー電極が、第２電極に部分的に重なるため、第１ダミー電極側からの第２電極に対する電磁的な干渉が低減される。
【手続補正５】
【補正対象書類名】明細書
【補正対象項目名】００３４
【補正方法】変更
【補正の内容】
【００３４】
上記隣り合う第２電極１００ｂ間には、Ｘ−Ｘ’方向に間隔をあけて配置された複数の空き領域αが各々設けられている。空き領域αは、幅狭部１２０ｂのうちのＹ−Ｙ’方向で隣り合う二つの幅狭部１２０ｂと、Ｘ方向側の二つの幅広部１１０ｂと、Ｘ’方向側の二つの幅広部１１０ｂとによって各々区画され、第１電極１００ａの電極本体１１０ａの第２重畳部１１２ａのＺ’方向側に配置される。換言すると、第２重畳部１１２ａは、第２高さ位置で空き領域αに各々重なっている。Ｘ方向側の二つの幅広部１１０ｂは、前記二つの幅狭部１２０ｂに対してＸ方向側に各々位置し、Ｘ’方向側の二つの幅広部１１０ｂは、前記二つの幅狭部１２０ｂに対してＸ’方向側に各々位置している。以下、Ｘ方向側の二つの幅広部１１０ｂおよびＸ’方向側の二つの幅広部１１０ｂをまとめて四つの幅広部１１０ｂとも称する。
【手続補正６】
【補正対象書類名】明細書
【補正対象項目名】００３５
【補正方法】変更
【補正の内容】
【００３５】
各空き領域α周りの四つの幅広部１１０ｂは、幅狭部１２０ｂに接続される中間部と、中間部よりＹ方向側の第１端部と、中間部よりＹ’方向側の第２端部とを各々有している。四つの幅広部１１０ｂのうちのＸ方向側の二つの幅広部１１０ｂは、Ｙ方向側の幅広部１１０ｂとＹ’方向側の幅広部１１０ｂとを含み、Ｙ方向側の幅広部１１０ｂの第２端部およびＹ’方向側の幅広部１１０ｂの第１端部（Ｙ−Ｙ’方向で隣り合う端部）が、対応する空き領域αのＺ方向側の第１電極１００ａの第２重畳部１１２ａのＸ方向側の隣で、当該第２重畳部１１２ａに沿って各々Ｙ−Ｙ’方向に延びていると良い。この場合、Ｙ方向側の幅広部１１０ｂの第２端部およびＹ’方向側の幅広部１１０ｂの第１端部が、対応する第２重畳部１１２ａに静電結合可能となる。四つの幅広部１１０ｂのうちのＸ’方向側の二つの幅広部１１０ｂは、Ｙ方向側の幅広部１１０ｂとＹ’方向側の幅広部１１０ｂとを含み、Ｙ方向側の幅広部１１０ｂの第２端部およびＹ’方向側の幅広部１１０ｂの第１端部（Ｙ−Ｙ’方向で隣り合う端部）が、対応する空き領域αのＺ方向側の第１電極１００ａの第２重畳部１１２ａのＸ’方向側の隣で、当該第２重畳部１１２ａに沿って各々Ｙ−Ｙ’方向に延びていると良い。この場合、Ｙ方向側の幅広部１１０ｂの第２端部およびＹ’方向側の幅広部１１０ｂの第１端部が、対応する第２重畳部１１２ａに静電結合可能となる。
【手続補正７】
【補正対象書類名】明細書
【補正対象項目名】００３７
【補正方法】変更
【補正の内容】
【００３７】
第２ダミー電極２００ｂは、第１電極１００ａおよび第２電極１００ｂと同様に、上記透明導電膜又は上記導体で構成されている。第２ダミー電極２００ｂの外形は、任意であるが、例えば、多角形（図１Ａ〜図２Ｂでは、矩形状）又は円形とすることが可能である。第２ダミー電極２００ｂの少なくとも一つは、第２高さ位置で空き領域α内に各々配置され、且つ第１電極１００ａの電極本体１１０ａの第２重畳部１１２ａに各々重なっている。第２電極１００ｂが上記１）の構成である場合、第２ダミー電極２００ｂは、第２基材３００ｂの第１面上に設けられている。第２電極１００ｂが上記２）の構成である場合、第２ダミー電極２００ｂは、第１基材３００ａの第２面上に設けられている。第２電極１００ｂが上記３）の構成である場合、第２ダミー電極２００ｂは、第２基材３００ｂの第１面上に設け且つ絶縁層に覆われている。図１Ａ、図１Ｃおよび図２Ｂでは、複数の第２ダミー電極２００ｂが第２高さ位置で第２基材３００ｂの第１面上の空き領域α内に各々Ｙ−Ｙ’方向に互いに僅かな間隙をあけて配置され、且つ第１電極１００ａの電極本体１１０ａの第２重畳部１１２ａに各々重なっている。
【手続補正８】
【補正対象書類名】明細書
【補正対象項目名】００４０
【補正方法】変更
【補正の内容】
【００４０】
第２電極１００ｂおよび第２ダミー電極２００ｂが配置される第２高さ位置の第２電極領域の面積のうち、第２電極１００ｂおよび第２ダミー電極２００ｂが占める面積は、８０％〜９９％とすると良い。換言すると、第２高さ位置の第２電極領域の面積のうち、上記間隙が占める面積は、２０％〜１％とすると良い。なお、第２電極領域は、Ｙ方向の最も端の第２電極１００ｂと、Ｙ’方向の最も端の第２電極１００ｂと、第２電極１００ｂのＸ方向の端と、第２電極１００ｂのＸ’方向の端とによって区画することができるが、これはあくまで一例であり、第２電極領域は任意に区画できる。なお、空き領域α内に一つの第２ダミー電極２００ｂが各々配置されている場合、上記間隙が占める面積は、隣り合う第２電極１００ｂの幅広部１１０ｂ間の間隙の面積と、空き領域α内の第２ダミー電極２００ｂと当該空き領域α周りの上記二つの幅狭部１２０ｂとの間の間隙、および空き領域α内の第２ダミー電極２００ｂと当該空き領域α周りの上記四つの幅広部１１０ｂとの間の間隙の面積との総和とすると良い。空き領域α内に複数の第２ダミー電極２００ｂが各々配置されている場合、上記間隙が占める面積は、隣り合う第２電極１００ｂの幅広部１１０ｂ間の間隙の面積と、空き領域α内の最もＹ方向側の第２ダミー電極２００ｂとＹ方向側の幅狭部１２０ｂとの間の間隙の面積と、空き領域α内の最もＹ’方向側の第２ダミー電極２００ｂとＹ’方向側の幅狭部１２０ｂとの間の間隙の面積と、空き領域α内のＹ方向側の一又は複数の第２ダミー電極２００ｂとＹ方向側の二つの幅広部１１０ｂとの間の間隙の面積と、空き領域α内のＹ’方向側の一又は複数の第２ダミー電極２００ｂとＹ’方向側の二つの幅広部１１０ｂとの間の間隙の面積との総和とすると良い。
【手続補正９】
【補正対象書類名】明細書
【補正対象項目名】００６０
【補正方法】変更
【補正の内容】
【００６０】
第２に、図示しない比較例のタッチ入力装置としては、平行に配置された短冊状（ストリップライン状）の複数の第１電極と、第１電極と異なる高さ位置で第１電極に直交するように配置された短冊状（ストリップライン状）の複数の第２電極を備えているものがある。この場合、第１電極および第２電極の直交部の静電結合が強いため、当該直交部の検出感度は強くなる。その一方で、第１電極間及び第２電極間の部分では、第１電極と第２電極の静電結合が弱くなるため、当該部分の検出感度が弱くなる。そのため、両者の検出感度にバラツキが生じている。一方、タッチ入力装置Ｔの面内の検出感度のバラツキが抑制される。その理由は以下の通りである。第１電極１００ａの第１重畳部１１１ａと第２電極１００ｂの幅狭部１２０ｂとが互いに重なり、静電結合するので、当該部分で検出対象の接近を検出することが可能であると共に、各空き領域αの周りでも検出対象の接近を検出することが可能である。各空き領域αの周りのＸ方向側の二つの幅広部１１０ｂの互いに隣り合う端部が、対応する空き領域αのＺ方向側の第２重畳部１１２ａのＸ方向の隣で当該第２重畳部１１２ａに沿って延び、Ｘ方向側の二つの幅広部１１０ｂと当該第２重畳部１１２ａとが静電結合し、且つＸ’方向側の二つの幅広部１１０ｂの互いに隣り合う端部が、当該第２重畳部１１２ａのＸ’方向の隣で当該第２重畳部１１２ａに沿って延びているので、Ｘ’方向側の二つの幅広部１１０ｂと当該第２重畳部１１２ａとが静電結合しているからである。また、第２電極１００ｂの各々の幅広部１１０ｂが、複数の第１幅広部１１１ｂと、複数の第２幅広部１１２ｂとを含み、且つ上記隣り合う第２電極１００ｂが、一方の第２電極１００ｂおよび他方の第２電極１００ｂを含む場合、一方の第２電極１００ｂの第１幅広部１１１ｂの第１領域１１１ｂ１と、他方の第２電極１００ｂの第２幅広部１１２ｂの第１領域１１２ｂ１とがＸ−Ｘ’方向において互いに重なっている。全ての第２電極１００ｂの第１幅広部１１１ｂの第１領域１１１ｂ１および第２幅広部１１２ｂの第１領域１１２ｂ１の面積の総和は、全ての第２電極１００ｂの面積の総和の１０％〜９０％である。そのため、上記隣り合う第２電極の各々において、一方の第２電極１００ｂの第１幅広部１１１ｂの第２領域１１１ｂ２と他方の第２電極１００ｂの第１幅広部１１１ｂの第１領域１１１ｂ１との間（第２方向で隣り合う第１幅広部１１１ｂの間）の部分が、一方の第２電極１００ｂの第１幅広部１１１ｂに接続された幅狭部１２０ｂと第１電極１００ａの第１重畳部１１１ａとの交差部に各々近くなり、一方の第２電極１００ｂの第２幅広部１１２ｂの第１領域１１２ｂ１と他方の第２電極１００ｂの第２幅広部１１２ｂの第２領域１１２ｂ２との間（第２方向で隣り合う第２幅広部１１２ｂの間）の部分が、他方の第２電極１００ｂの第２幅広部１１２ｂに接続された幅狭部１２０ｂと第１電極１００ａの第１重畳部１１１ａとの交差部に各々近くなる。このため、隣り合う第１幅広部１１１ｂの間の何れか一つに検出対象が接近した場合、その近傍の交差部で検出が可能になり、隣り合う第２幅広部１１２ｂの間の何れか一つに検出対象が接近した場合、その近傍の交差部で検出が可能になる。このため、隣り合う第１幅広部１１１ｂの間および隣り合う第２幅広部１１２ｂの間の検出感度と、交差部の検出感度とのバラツキが抑制される。
【手続補正１０】
【補正対象書類名】明細書
【補正対象項目名】００６６
【補正方法】変更
【補正の内容】
【００６６】
第８に、タッチ入力装置Ｔが第１ダミー電極２００ａを備えている場合、タッチ入力装
置Ｔに対するＺ方向からの電磁的な干渉（タッチ入力装置Ｔの外部機器から電磁的な干渉）を低減できる。第１電極領域の面積の８０％〜９９％を第１電極１００ａおよび第１ダミー電極２００ａで占有した場合、この第８技術的特徴および効果は向上する。